(57)【要約】【課題】  自由端を形成する長手方向の一端部を弁板に形成された吐出穴に対峙させたリード弁と、弁板と協働してリード弁の他端部を挟持すると共にリード弁と同一方向に延在してリード弁の開度を調整するリテーナとを備える圧縮機の吐出弁機構であって、リード弁が引き起こす騒音が従来に比べて抑制された吐出弁機構を提供する。【解決手段】  自由端を形成する長手方向の一端部を弁板に形成された吐出穴に対峙させたリード弁と、弁板と協働してリード弁の他端部を挟持すると共にリード弁と同一方向に延在してリード弁の開度を調整するリテーナとを備える圧縮機の吐出弁機構であって、リテーナへ向う凸部がリード弁に形成されている。【選択図】  図１
2006200487.tif 000002
【特許請求の範囲】
【請求項１】
自由端を形成する長手方向の一端部を弁板に形成された吐出穴に対峙させたリード弁と、弁板と協働してリード弁の他端部を挟持すると共にリード弁と同一方向に延在してリード弁の開度を調整するリテーナとを備える圧縮機の吐出弁機構であって、リテーナへ向う凸部がリード弁に形成されていることを特徴とする圧縮機の吐出弁機構。
【請求項２】
凸部はリード弁の湾曲部又は屈曲部であることを特徴とする請求項１に記載の圧縮機の吐出弁機構。
【請求項３】
凸部はリード弁の局部的な厚肉部であることを特徴とする請求項１に記載の圧縮機の吐出弁機構。
【請求項４】
リード弁の平坦部から突出する部分の材質が平坦部の材質と異なることを特徴とする請求項３に記載の圧縮機の吐出弁機構。
【発明の詳細な説明】
【技術分野】
【０００１】
本発明は、圧縮機の吐出弁機構に関するものである。
【背景技術】
【０００２】
自由端を形成する長手方向の一端部を弁板に形成された吐出穴に対峙させたリード弁と、弁板と協働してリード弁の他端部を挟持すると共にリード弁と同一方向に延在してリード弁の開度を調整するリテーナとを備える圧縮機の吐出弁機構が特許文献１等に開示されている。
【特許文献１】実開平５−７３２７６
【発明の開示】
【発明が解決しようとする課題】
【０００３】
特許文献１等に開示された従来の圧縮機の吐出弁機構には、開弁時にリード弁がリテーナと弁板とに挟持された他端部を固定端とする片持梁として挙動し、低周波数で振動するので、他の部品が共振し圧縮機騒音を引き起こすという問題がある。
本発明は上記問題に鑑みてなされたものであり、自由端を形成する長手方向の一端部を弁板に形成された吐出穴に対峙させたリード弁と、弁板と協働してリード弁の他端部を挟持すると共にリード弁と同一方向に延在してリード弁の開度を調整するリテーナとを備える圧縮機の吐出弁機構であって、リード弁が引き起こす騒音が従来に比べて抑制された吐出弁機構を提供することを目的とする。
【課題を解決するための手段】
【０００４】
上記課題を解決するために、本発明においては、自由端を形成する長手方向の一端部を弁板に形成された吐出穴に対峙させたリード弁と、弁板と協働してリード弁の他端部を挟持すると共にリード弁と同一方向に延在してリード弁の開度を調整するリテーナとを備える圧縮機の吐出弁機構であって、リテーナへ向う凸部がリード弁に形成されていることを特徴とする圧縮機の吐出弁機構を提供する。
本発明に係る圧縮機の吐出弁機構においては、開弁時の初期にはリード弁はリテーナと弁板とに挟持された他端部を固定端とする片持梁として挙動するが、凸部がリテーナに当接した後は、凸部を固定端とする片持梁として挙動するので、振動の周波数が増加し、他の部品の共振が抑制される。この結果、リード弁が引き起こす騒音が抑制される。
【０００５】
本発明の好ましい態様においては、凸部はリード弁の湾曲部又は屈曲部である。
本発明の好ましい態様においては、凸部はリード弁の局部的な厚肉部である。
リード弁を湾曲又は屈曲させて凸部を形成しても良く、或いはリード弁の一部を局部的に厚肉にして凸部を形成しても良い。前者の場合には、リード弁の平坦部が減少し、閉弁時にリード弁が弁板に当接する面積が減少するので、リード弁と弁板との間に介在する液体によるリード弁の弁板への貼り付きに起因する、リード弁の開き遅れと、当該開き遅れに起因する開弁時の弁振動エネルギーの増加と騒音の増加とを抑制することができる。
【０００６】
本発明の好ましい態様においては、凸部はリード弁の局部的な厚肉部であり、リード弁の平坦部から突出する部分の材質が平坦部の材質と異なる。
リード弁の一部を局部的に厚肉にして凸部を形成する場合、平坦部に他の材質の突起を取り付けることにより容易に凸部を形成することができる。
【発明の効果】
【０００７】
本発明に係る圧縮機の吐出弁機構においては、開弁時の初期にはリード弁はリテーナと弁板とに挟持された他端部を固定端とする片持梁として挙動するが、凸部がリテーナに当接した後は、凸部を固定端とする片持梁として挙動するので、振動の周波数が増加し、他の部品の共振が抑制される。この結果、リード弁が引き起こす騒音が抑制される。
【発明を実施するための最良の形態】
【０００８】
本発明の実施例に係る圧縮機の吐出弁機構を説明する。
【実施例１】
【０００９】
図１（ａ）、（ｂ）に示すように、吐出弁機構は、自由端を形成する長手方向の一端部を弁板１に形成された吐出穴１ａに対峙させたリード弁２と、弁板１と協働してリード弁２の他端部を挟持すると共にリード弁２と同一方向に延在してリード２弁の開度を調整するリテーナ３とを備えている。
リード弁２の他端近傍に、リテーナ３へ向う湾曲部から成る凸部２ａが形成されている。
【００１０】
本実施例に係る圧縮機の吐出弁機構においては、開弁時の初期にはリード弁２はリテーナ３と弁板１とに挟持された他端部を固定端とする片持梁として挙動するが、凸部２ａがリテーナ３に当接した後は、凸部２ａを固定端とする片持梁として挙動するので、振動部分の長さが減少して振動の周波数が増加し、他の部品の共振が抑制される。この結果、リード弁２が引き起こす騒音が抑制される。湾曲部に代えて屈曲部から成る凸部２ａを形成しても良い。
湾曲部や屈曲部から成る凸部２ａを形成する場合には、リード弁２の平坦部が減少し、閉弁時にリード弁２が弁板１に当接する面積が減少するので、リード弁２と弁板１との間に介在する液冷媒や潤滑油等の液体によるリード弁２の弁板１への貼り付きに起因する、リード弁２の開き遅れと、当該開き遅れに起因する開弁時の弁振動エネルギーの増加と騒音の増加とを抑制することができる。
【実施例２】
【００１１】
図１（ｃ）に示すように、湾曲部や屈曲部から成る凸部２ａに代えて、局部的な厚肉部から成る凸部２ｂを形成しても良い。開弁時の初期にはリード弁２はリテーナ３と弁板１とに挟持された他端部を固定端とする片持梁として挙動するが、凸部２ｂがリテーナ３に当接した後は、凸部２ｂを固定端とする片持梁として挙動するので、振動部分の長さが減少して振動の周波数が増加し、他の部品の共振が抑制される。この結果、リード弁２が引き起こす騒音が抑制される。
凸部２ｂのリード弁２の平坦部から突出する部分を平坦部とは異なる材質で形成しても良い。リード弁の一部を局部的に厚肉にして凸部２ｂを形成する場合、平坦部に他の材質の突起を取り付けることにより容易に凸部２ｂを形成することができる。
【産業上の利用可能性】
【００１２】
本発明は、自由端を形成する長手方向の一端部を弁板に形成された吐出穴に対峙させたリード弁と、弁板と協働してリード弁の他端部を挟持すると共にリード弁と同一方向に延在してリード弁の開度を調整するリテーナとを備える圧縮機の吐出弁機構に広く利用可能である。
【図面の簡単な説明】
【００１３】
【図１】本発明の実施例に係る圧縮機の吐出弁機構の構造図である。（ａ）は平面図であり、（ｂ）は（ａ）のｂ−ｂ矢視図である。（ｃ）は（ｂ）の変形例である。
【符号の説明】
【００１４】
１  弁板
１ａ  吐出穴
２  リード弁
２ａ、２ｂ  突部
３  リテーナ
【図１】
2006200487.tif 000003